(57)【要約】【課題】  インターホン装置をインターネットに接続してインターホン装置間で通話を可能としてもセキュリティ上の問題が発生することが無い。【解決手段】  インターホン親機２をインターネット４に接続すると共にインターネット４上にインターホン親機２同士の通信を管理するサーバ５を配置し、このサーバ５に居室親機２同士の接続許可情報を記憶する接続情報記憶部を設けた。玄関子機１から呼び出しが成されたら、居室親機２はインターネット４を介してサーバ５に自身のＩＤ情報を付加した外部呼出信号を送信し、外部呼出信号を受信したサーバ５は、接続情報記憶部において関連付けられている居室親機２と送信元居室親機２とを接続操作し、関連付けられている居室親機２を呼び出して応答を可能とた。【選択図】  図１
2008160472.tif 000002
【特許請求の範囲】
【請求項１】
居住者を呼び出すための玄関子機と、呼び出しに応答するための居室親機とを備えた複数のインターホン装置をインターネットに接続すると共に、インターネット上に前記インターホン装置間の通信を管理する通信管理サーバを配置し、
前記通信管理サーバは、前記居室親機同士の接続許可情報を記憶する接続情報記憶部と、接続を制御する接続制御手段とを有する一方、前記居室親機は、前記玄関子機から呼び出しが成されたら前記通信管理サーバに対して外部呼出信号を送信する呼出制御手段を有し、
前記接続制御手段は、前記外部呼出信号を受けて前記接続情報記憶部において送信元の居室親機に関連付けられている居室親機と前記送信元居室親機とを接続操作し、関連付けられている居室親機を呼び出して応答を可能とすることを特徴とするインターホンシステム。
【請求項２】
前記居室親機は他のインターホン装置の居室親機と通話するための外部通話ボタンを有し、前記呼出制御手段は前記外部通話ボタンの操作を受けて前記通信管理サーバに通話信号を送信し、
前記通信管理サーバの接続制御手段は、前記通話信号を受けて前記接続情報記憶部において送信元の居室親機に関連付けられている居室親機と前記送信元居室親機とを接続し、関連付けられている居室親機を呼び出して通話を可能とすることを特徴とする請求項１記載のインターホンシステム。
【請求項３】
前記接続情報記憶部は、個々の居室親機に対して信号送信先を登録した送信テーブルと、接続を許可した相手の居室親機を登録した許可テーブルとで構成され、前記接続制御手段は双方のテーブルを参照して居室親機同士の接続操作を行うことを特徴とする請求項１又は２記載のインターホンシステム。
【発明の詳細な説明】
【技術分野】
【０００１】
本発明は、複数のインターホンから成るインターホンシステムに関し、詳しくはインターホン装置間で通信を可能とするインターホンシステムに関する。
【背景技術】
【０００２】
従来よりインターネット等の公衆通信回線に接続して携帯端末等と通信を可能としたインターホンシステムがある。例えば特許文献１に記載されたインターホンシステムは、インターネットに接続すると共にインターネット上にサーバを配置し、居室親機からサーバに画像情報をアップロードして保存させ、携帯端末からサーバにアクセスすることで、保存されている画像情報を閲覧できる構成となっている。また、携帯端末によりサーバに接続して、居室親機の設定を変更可能としたり、玄関子機からの呼び出しに対して、携帯端末で応答することを可能としている。
【特許文献１】特開２００３−２８３６９６号公報
【発明の開示】
【発明が解決しようとする課題】
【０００３】
このように、上記特許文献１に開示されているテレビドアホンシステムは、外出した居住者が携行する携帯端末と自宅の居室親機の間の通信を可能とするものであるが、携帯端末が通信できない場所や地域に出かけている場合には使用できず、緊急時に活用できない場合があった。また、サーバへアクセスするパスワードやアドレスを知っている人であれば誰でも居室親機のデータを入手或いは居室親機を操作可能なため、セキュリティの面で好ましいものではなかった。しかし、インターネットに居室親機等を接続することで、別途信号線を配設することなく異なる住戸のインターホン装置間で通話が可能となり、留守時の応答等に活用できるため、セキュリティ上の問題が解決できれば利便性の向上を図ることができる。
【０００４】
そこで、本発明はこのような問題点に鑑み、インターホン装置をインターネットに接続してインターホン装置間で通話を可能としてもセキュリティ上の問題が発生することが無いインターホンシステムを提供することを目的とする。
【課題を解決するための手段】
【０００５】
上記課題を解決する為に、請求項１の発明は、居住者を呼び出すための玄関子機と、呼び出しに応答するための居室親機とを備えた複数のインターホン装置をインターネットに接続すると共に、インターネット上にインターホン装置間の通信を管理する通信管理サーバを配置し、通信管理サーバは、居室親機同士の接続許可情報を記憶する接続情報記憶部と、接続を制御する接続制御手段とを有する一方、居室親機は、玄関子機から呼び出しが成されたら通信管理サーバに対して外部呼出信号を送信する呼出制御手段を有し、接続制御手段は、外部呼出信号を受けて接続情報記憶部において送信元の居室親機に関連付けられている居室親機と送信元居室親機とを接続操作し、関連付けられている居室親機を呼び出して応答を可能とすることを特徴とする。
この構成によれば、通信管理サーバが送信元居室親機に応じて接続相手を選択して接続するので、登録されていない居室親機や第三者がインターネットを介して侵入（接続）することはできないためセキュリティを維持できる。そして、留守にした場合でも訪問者に対して他の住戸から応答することができ、防犯に有効である。
【０００６】
請求項２の発明は、請求項１に記載の発明において、居室親機は他のインターホン装置の居室親機と通話するための外部通話ボタンを有し、呼出制御手段は外部通話ボタンの操作を受けて通信管理サーバに通話信号を送信し、通信管理サーバの接続制御手段は、通話信号を受けて接続情報記憶部において送信元の居室親機に関連付けられている居室親機と送信元居室親機とを接続し、関連付けられている居室親機を呼び出して通話を可能とすることを特徴とする。
この構成によれば、異なる住戸の居室親機間で通話を実施でき、而も外部呼出ボタンを操作するだけのワンタッチ操作で行うことができる。そのため、防犯に有効であるし高齢者の住居人が近隣の住人を呼び出したり緊急時の通話に便利である。
【０００７】
請求項３の発明は、請求項１又は２に記載の発明において、接続情報記憶部は、個々の居室親機に対して信号送信先を登録した送信テーブルと、接続を許可した相手の居室親機を登録した許可テーブルとで構成され、接続制御手段は双方のテーブルを参照して居室親機同士の接続操作を行うことを特徴とする。
この構成によれば、送信先に指定した居室親機が送信元の居室親機を接続許可していなければ通話することができない。よって、一方が通信相手を登録しただけでは通話する事ができず、第三者が居室親機と通信しようと通信管理サーバに侵入できたとしても、通信管理サーバが通信路を接続することがないので、居室親機をインターネットに接続してもセキュリティを維持できる。
【発明の効果】
【０００８】
本発明によれば、接続相手は送信元居室親機に応じて通信管理サーバが相手を選択して接続するので、登録されていない居室親機や第三者がインターネットを介して侵入（接続）することはできないためセキュリティを維持できる。そして、留守にした場合でも訪問者に対して他の住戸から応答することができるし、異なる住戸の居室親機間で通話できるので防犯に有効である。
【発明を実施するための最良の形態】
【０００９】
以下、本発明を具体化した実施の形態を、図面に基づいて詳細に説明する。図１は本発明に係るインターホンシステムの一例を示す構成図であり、１は居住者を呼び出す為に玄関等の戸外に設置される玄関子機、２は呼び出しに応答するための居室親機、４はインターネット網（インターネット）、５は居室親機２同士の通信を制御するサーバ（通信管理サーバ）であり、個々の居室親機２及びサーバ５はインターネット網４に接続されている。尚、伝送線Ｌ１で接続された玄関子機１と居室親機２とで１組のインターホン装置３を構成している。
【００１０】
玄関子機１は呼出ボタン１ａ、通話の為のマイク１ｂ及びスピーカ１ｃ、来訪者を撮像するカメラ１ｄを有し、呼出ボタン１ａが押されたら呼出信号が居室親機２に送信されると共に、カメラ１ｄが起動して撮像映像が居室親機２に伝送される。一方、居室親機２は呼び出しに応答するための通話ボタン２ａ、通話のためのマイク２ｂ及びスピーカ２ｃ、カメラ１ｄの撮像映像を出画するＬＣＤで構成されたモニタ２ｄを有し、モニタ２ｄには操作部としてのタッチパネル７が組み付けられている。
【００１１】
図２は居室親機２の回路ブロック図を示し、８は玄関子機１を制御する玄関子機制御回路、９はモニタ２ｄの表示を制御する映像表示回路、１０はモニタ２ｄに操作ボタンを表示してタッチパネル７を制御するタッチパネル制御回路、１１はインターネット網４に接続するためのネットワーク接続回路、１２は居室親機２を制御する親機ＣＰＵである。
【００１２】
そして、タッチパネル７には、インターネット網４を介してサーバ５に玄関子機１からの呼出信号を送信する外部転送ボタン（図示せず）、外部居室親機２と通話を行うための外部通話ボタン（図示せず）が設けられている。この双方のボタンは、所定のタッチパネル操作により、モニタ２ｄに表示される。
【００１３】
図３はサーバ５の要部ブロック図を示し、１６は居室親機２の接続許可情報を記憶した接続情報記憶部、１７はインターネット網４と通信するネットワークインターフェイス（ネットワークＩＦ）、１８はサーバ５を制御するサーバＣＰＵを示している。接続情報記憶部１６は、具体的に個々の居室親機２に対して居室親機２から送出された信号を何れの居室親機２に送信するかを登録した送信テーブル１６ａと、何れの居室親機２からの送出された信号を受信して接続を許可するか接続許可相手を登録した許可テーブル１６ｂとで構成され、この情報に従いサーバ５は居室親機２同士の接続制御を行う。
【００１４】
図４はこの接続許可情報の具体例を示し、（ａ）は送信テーブル１６ａ、（ｂ）は許可テーブル１６ｂである。例えば、送信テーブル１６ａにおいて、ＩＤ０００００１の居室親機２（以下、親機Ａとする）を見ると、この親機Ａから送出された信号は、ＩＤ０００００２の居室親機２（以下、親機Ｂとする）と、ＩＤ０００００３の居室親機２（以下、親機Ｃとする）に対して送信されるようサーバ５が制御することを示している。一方、許可テーブル１６ｂでは、親機ＡはＩＤ０００００２の親機Ｂしか接続許可を与えていないので、サーバ５のサーバＣＰＵ（接続制御手段）１８は親機Ａに対しては親機Ｂからの接続要請しか受け付けず、他の居室親機２から親機Ａに対する接続要請があっても接続操作しない。
尚、このように、送信先の設定と接続許可先の設定を分離して行うことで、個々の居室親機２のタッチパネル操作により設定しても、セキュリティ上支障なく設定することができる。また、サーバ５は具体的にはＡＳＰ（Ａｐｐｌｉｃａｔｉｏｎ  Ｓｅｒｖｉｃｅ  Ｐｒｏｖｉｄｅｒ）が好適である。
【００１５】
このように構成されたインターホンシステムは次のように動作する。先ず、インターホン装置３は従来と同様の動作を実施する。来訪者等により玄関子機１の呼出ボタン１ａが押されたら、呼出信号が居室親機２に送信され、居室親機２は呼出音を報音する。同時に、カメラ１ｄが起動して来訪者を撮像した映像信号が居室親機２に伝送され、呼出音を受けた居住者が通話ボタン２ａを押すと玄関子機１との間で通話が実施される。また、呼出音が報音された時点でモニタ２ｄが起動してカメラ１ｄが撮像した来訪者映像が出画され、居住者はその映像を見ながら応答することができる。
【００１６】
そして、居室親機２の所定の操作により外部転送ボタンが操作されると、居室親機２は呼出転送モードとなり、玄関子機１から呼び出しが成されたら自身を呼出報音すると同時に、親機ＣＰＵ（呼出制御手段）１２の制御によりＩＤ情報を付加した外部呼出信号をインターネット網４を介してサーバ５に送信される。
この外部呼出信号を受信したサーバ５は、信号に含まれるＩＤ情報を基に接続情報記憶部１６を参照して送信先を選択する。このとき、送信テーブル１６ａと許可テーブル１６ｂの双方が参照される。受信した信号から送信元居室親機２に関連付けられている呼出先を送信テーブル１６ａから読み出し、読み出した呼出先居室親機２を主親機とする許可親機を許可テーブル１６ｂから読み出す。そして、この許可親機に呼出元の居室親機２が登録されていれば通話路を接続して呼出先居室親機２を呼出操作する。
【００１７】
例えば、図４に示すテーブルの設定状態において、親機Ａの外部転送ボタンが操作されると、サーバ５は送信テーブル１６ａを参照して親機Ｂと親機Ｃに対して送信するように制御を行おうとする。ところが、許可テーブル１６ｂを参照すると、親機Ｂは親機Ａと親機Ｃに対して接続許可を与えているが、親機Ｃは何れの親機にも接続許可を与えていない為、サーバ５は親機Ａに対して接続許可を与えている親機Ｂのみを許可親機として呼出操作する。
こうして呼出信号を受信した居室親機２は、親機ＣＰＵ１２の制御により呼出音が鳴動し、その後通話ボタン２ａが押されたら、呼出操作された玄関子機１と異なる住戸の居室親機２の間で通話が可能となる。
【００１８】
このように、通信管理サーバが送信元居室親機に応じて接続相手を選択して接続するので、登録されていない居室親機や第三者がインターネットを介して侵入（接続）することはできないためセキュリティを維持できる。そして、留守にした場合でも訪問者に対して他の住戸から応答することができ、防犯に有効である。
また、接続許可情報は、送信テーブルと許可テーブルから成り、送信先に指定した居室親機が送信元の居室親機を接続許可していなければ通話することができないので、一方が通信相手を登録しただけでは通話する事ができない。例えば、第三者が居室親機と通信しようと通信管理サーバに侵入して送信テーブル１６ａ、または許可テーブル１６ｂの何れか一方を書き換えたとしても、サーバが通信路を接続することがないので、居室親機をインターネットに接続してもセキュリティを維持できる。
【００１９】
外部通話ボタンが操作されたら以下のように動作する。外部通話ボタンが押されたら、親機ＣＰＵ（呼出制御手段）１２の制御により、ＩＤ情報を付加した通話信号がインターネット網４上のサーバ５に送出される。この通話信号を受信したサーバ５はサーバＣＰＵ１８の制御により、信号に含まれるＩＤ情報を基に接続情報記憶部１６を参照して通話先を選択する。このとき、送信テーブル１６ａと許可テーブル１６ｂの双方が参照される。受信した通話信号から送信元居室親機２に関連付けられている呼出先を送信テーブル１６ａから読み出す。
【００２０】
次に、読み出した呼出先居室親機２を主親機とする許可親機を許可テーブル１６ｂから読み出し、この許可親機に呼出元の居室親機２が登録されていれば双方の通信路を接続して呼出先居室親機２に通話信号を送信して呼出操作する。
こうして通話信号を受信した居室親機２は、親機ＣＰＵ１２の制御により呼出音が鳴動し、その後通話ボタン２ａが押されたら外部通話ボタンを操作した居室親機２と異なる住戸の居室親機２の間で通話が可能となる。
【００２１】
このように、異なる住戸の居室親機間で通話を実施でき、而も外部呼出ボタンを操作するだけのワンタッチ操作で行うことができる。そのため、防犯に有効であるし高齢者の住居人が近隣の住人を呼び出したり緊急時の通話に便利である。
【００２２】
尚、送信先親機及び接続許可親機として複数の居室親機２が登録されている場合は、同時に複数の居室親機２に対して呼出信号や通話信号が送信される。一方で、登録されていなければ、サーバ５が呼出信号や通話信号を受信しても何れの居室親機２に対しても呼び出しは行わない。
【図面の簡単な説明】
【００２３】
【図１】本発明に係るインターホンシステムの実施形態の一例を示す構成図である。
【図２】居室親機のブロック図である。
【図３】サーバのブロック図である。
【図４】サーバに記憶された通信許可テーブルの内容を示し、（ａ）は送信テーブル、（ｂ）は許可テーブルである。
【符号の説明】
【００２４】
１・・玄関子機、２・・居室親機、３・・インターホン装置、４・・インターネット網、５・・サーバ（通信管理サーバ）、７・・タッチパネル（操作部）、１２・・親機ＣＰＵ（呼出制御手段）、１６・・接続情報記憶部、１６ａ・・送信テーブル、１６ｂ・・許可テーブル、１８・・サーバＣＰＵ（接続制御手段）。
【図１】
2008160472.tif 000003
【図２】
2008160472.tif 000004
【図３】
2008160472.tif 000005
【図４】
2008160472.tif 000006